【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
受信されたＤＳＳＳ信号を取得する信号処理アーキテクチャ（ＳＰＡ）であって、
該受信されたＤＳＳＳ信号を所定のサンプリングレートでサンプリングする手段と、
相互相関値を得るために、該サンプリングされたＤＳＳＳ信号の時間および周波数シフトされたバージョンを該受信されたＤＳＳＳ信号のスペクトルを拡散するために用いられる擬似ランダム雑音（ＰＮ）コードシーケンスの局所的に生成されたレプリカのサンプルと並列様式で相互相関させる手段と、
該相互相関手段に接続されたドップラ補償器であって、該受信されたＤＳＳＳ信号の時間圧縮から生じるミスアラインメント効果を補償するために、該得られた相互相関値を処理するドップラ補償器と、
相関量を得るために、該受信された信号の異なる時間セグメントの対応する時間および周波数のオフセットを表す補償された相互相関値のグループと、レプリカのコードシーケンスとを非干渉的に統合するインテグレータと、
該相関量の大きさの合計が検出しきい値を超えているか否かを検出する検出器と
を備え、
該相互相関手段は、
短時間相関（ＳＴＣ）の全体を並列で計算するコード整合フィルタのバンクと、
該計算されたＳＴＣの離散時間フーリエ解析を用いて相互相関値を計算する手段と
をさらに備える、ＳＰＡ。
【請求項２】
前記相互相関手段は、前記コード整合フィルタのバンクと該相互相関手段との間に配置された１つ以上の中間量子化器であって、フーリエ解析の前にＳＴＣのワードサイズを小さくする中間量子化器をさらに備える、請求項１に記載のＳＰＡ。
【請求項３】
前記コード整合フィルタは、前記サンプリングされたＤＳＳＳ信号のインターリーブされた同位相（Ｉ）成分および直交（Ｑ）成分に対し、ＳＴＣをパイプライン様式で計算し、該コード整合フィルタは、前記サンプリングレートの２倍で動作し、
各コード整合フィルタは、該インターリーブされた成分を保持する２つのデータシフトレジスタをタップ毎に有する、請求項１に記載のＳＰＡ。
【請求項４】
前記ＤＳＳＳ信号は、複数の側波帯を有し、
前記ＳＰＡは、２つ以上の複数の側波帯をデジタルに選択してリサンプリングする手段をさらに備え、
該相互相関手段は、該リサンプリングされた側波帯のデータをインターリーブするインターリーバをさらに備え、
前記コード整合フィルタは、該インターリーブされた側波帯のデータに対し、ＳＴＣをパイプライン様式で計算し、
各コード整合フィルタは、該インターリーブされた側波帯のデータを保持する追加的なデータシフトレジスタを有し、選択された側波帯の数と前記所定のサンプリングレートとの積に等しいレートで動作する、請求項１に記載のＳＰＡ。
【請求項５】
前記相互相関手段は、
前記受信されたＤＳＳＳ信号を名目上のチップレートの整数倍に等しいレートでリサンプリングする手段と、
必要数が整数倍によって割られる複数の乗数を有する１つ以上のコード整合フィルタと
をさらに備え、
各コード整合フィルタの関連する加算ネットワークは、部分和を格納して、相互相関値の計算時に前のクロックサイクルからの部分和を加算するハードウェアを含む、請求項１に記載のＳＰＡ。
【請求項６】
前記ドップラ補償器は、
前記受信されたＤＳＳＳ信号の周波数シフトバージョンと前記レプリカのコードシーケンスとに対応する相互相関値の入力ストリームに遅延を適用する遅延手段と、
非干渉統合カウンタ値に基づいて、適用されるべき適切な遅延を選択する手段と
をさらに備える、請求項１に記載のＳＰＡ。
【請求項７】
周波数シフトに依存する遅延を適用する手段は、
１つ以上の整数遅延線フィルタと、
１つ以上の分数遅延線フィルタと、
適用されるべき適切な遅延を決定する際に、整数遅延線フィルタおよび分数遅延線フィルタによって用いられる、あらかじめ計算されたフィルタ係数のルックアップテーブルと、
外部から指定された周波数シフトと前記非干渉統合カウンタ値との関数として、整数および分数遅延線フィルタの係数を初期化して更新する手段と
をさらに備える、請求項６に記載のＳＰＡ。
【請求項８】
受信されたＤＳＳＳ信号を取得する信号処理アーキテクチャ（ＳＰＡ）であって、
ＤＳＳＳ信号を所定のサンプリングレートでサンプリングする手段と、
該サンプリングされたＤＳＳＳ信号の同位相（Ｉ）成分および直交（Ｑ）成分をインターリーブするインターリーバと、
該インターリーブされた成分の時間および周波数シフトされたバージョンを該受信されたＤＳＳＳ信号のスペクトルを拡散するために用いられる擬似ランダム雑音（ＰＮ）コードシーケンスのレプリカのサンプルとパイプライン様式で相関させ、相互相関出力を得る１つ以上のコード整合フィルタであって、各コード整合フィルタは、該サンプリングレートの２倍で動作し、該インターリーブされた成分を保持する２つのデータシフトレジスタをタップ毎に含む、１つ以上のコード整合フィルタと、
該相互相関出力の離散時間フーリエ解析を用いて相互相関値を計算する手段と、
該受信された信号の時間セグメントの対応する時間および周波数のオフセットを表す相互相関値と、レプリカのコードシーケンスとを非干渉的に統合して、相関量を得るインテグレータと、
該相関量の大きさの合計が検出しきい値を超えているか否かを検出する検出器と
を備える、ＳＰＡ。
【請求項９】
複数の側波帯を有する受信されたＤＳＳＳ信号を取得する信号処理アーキテクチャ（ＳＰＡ）であって、
１つ以上の複数の側波帯を所定のサンプリングレートでサンプリングする手段と、
該１つ以上の複数の側波帯をデジタルに選択してリサンプリングする手段と、
該リサンプリングされた側波帯のデータをインターリーブするインターリーバと、
該インターリーブされた側波帯のデータの時間および周波数シフトされたバージョンを該受信されたＤＳＳＳ信号のスペクトルを拡散するために用いられるＰＮコードシーケンスのレプリカのサンプルとパイプライン様式で相関させ、相互相関出力を得る１つ以上のコード整合フィルタであって、該コード整合フィルタの各々は、該インターリーブされた側波帯のデータを保持する追加的なデータシフトレジスタを有し、選択された側波帯の数と該所定のサンプリングレートとの積に等しいレートで各々が動作する、１つ以上のコード整合フィルタと、
該相互相関出力の離散時間フーリエ解析を用いて相互相関値を計算する手段と、
該受信された信号の時間セグメントの対応する時間および周波数のオフセットを表す相互相関値と、基準ＰＮコードシーケンスとを非干渉的に統合することにより、相関値を得るインテグレータと、
該相関量の大きさの合計が検出しきい値を超えているか否かを検出する検出器と
を備える、ＳＰＡ。
【請求項１０】
少なくとも２つの側波帯を有する受信されたＤＳＳＳ信号を取得する信号処理アーキテクチャ（ＳＰＡ）であって、
該受信されたＤＳＳＳ信号の側波帯を選択する手段と、
該選択された側波帯を所定のサンプリングレートでダウンサンプリングして、該選択された側波帯のバージョンを得る手段と、
該選択された側波帯の該バージョンの同位相（Ｉ）成分および直交（Ｑ）成分をインターリーブするインターリーバと、
該受信されたＤＳＳＳ信号のスペクトルを拡散するために用いられる擬似ランダム雑音（ＰＮ）コードシーケンスの局所的に生成されたサンプリングされたレプリカを該選択された側波帯の時間および周波数シフトされたバージョンと相互相関させることにより、相互相関値を得る手段であって、
該相互相関手段は、
（ｉ）各選択された側波帯を名目上のチップレートの整数倍に等しいレートでリサンプリングする手段と、
（ｉｉ）該インターリーブされた側波帯成分に対し、短時間相関（ＳＴＣ）をパイプライン様式で計算するコード整合フィルタのバンクであって、各コード整合フィルタは、該インターリーブされた側波帯成分を保持する複数のデータシフトレジスタをタップ毎に有し、該サンプリングされた側波帯の数の２倍と該所定のサンプリングレートとの積に等しいレートで動作する、コード整合フィルタのバンクと、
（ｉｉｉ）短時間相関（ＳＴＣ）の全体を並列で計算するコード整合フィルタのバンクと、
（ｉｖ）必要数が整数倍によって割られる複数の乗数を有する１つ以上のコード整合フィルタであって、各コード整合フィルタの関連する加算ネットワークは、部分和を格納して、相互相関値の計算時に前のクロックサイクルからの部分和を加算するハードウェアを有する、１つ以上のコード整合フィルタと、
（ｖ）ＳＴＣの離散時間フーリエ解析を用いて相互相関値を計算する手段と、
（ｖｉ）前記コード整合フィルタのバンクと前記相互相関手段との間に配置された１つ以上の中間量化器であって、フーリエ解析の前に該ＳＴＣのワードサイズを小さくする１つ以上の中間量化器と
のうちの少なくとも１つを含む、相互相関手段と、
該相互相関手段に接続されたドップラ補償器であって、該ドップラ補償器は、該受信されたＤＳＳＳ信号の時間圧縮から生じるミスアラインメント効果を補償するために、該得られた相互相関値を処理し、
該ドップラ補償器は、
（ａ）粗いドップラ周波数依存の補償のための１つ以上の整数遅延線フィルタと、
（ｂ）精密なドップラ周波数依存の補償のための１つ以上の分数遅延線フィルタと、
（ｃ）ドップラ周波数依存の遅延を精密に分解する際に、該分数遅延線フィルタによって用いられるフィルタ係数のテーブルと、
（ｄ）適切な整数および分数遅延を各相互相関値に適用するための外部から制御可能なセッティングと
のうちの少なくとも１つを含む、ドップラ補償器と、
該相関値の大きさが検出しきい値を超えているか否かを検出する検出器と
を備える、ＳＰＡ。
【請求項１１】
受信された多帯域入力信号を取得する信号処理アーキテクチャ（ＳＰＡ）であって、
該受信された多帯域入力信号から複数の側波帯を選択する手段と、
各選択された側波帯を所定のサンプリングレートでダウンサンプリングして、各選択された側波帯のバージョンを得る手段と、
各選択された側波帯の該バージョンの同位相（Ｉ）成分および直交（Ｑ）成分をインターリーブするインターリーバと、
該受信された信号のスペクトルを拡散するために用いられるＰＮコードシーケンスのレプリカを各選択された側波帯の時間および周波数シフトされたバージョンと相互相関させることにより、相互相関値を得る手段であって、該相互相関手段は、該インターリーブされた側波帯成分に対し、短時間相関（ＳＴＣ）をパイプライン様式で計算するコード整合フィルタのバンクをさらに備えており、各コード整合フィルタは、該インターリーブされた成分を保持する複数のデータシフトレジスタをタップ毎に有しており、サンプリングされた側波帯の数の２倍と該所定のサンプリングレートとの積に等しいレートで動作する、手段と
相互相関値を非干渉的に組み合わせて相関量を得るインテグレータと、
該相関量の大きさが検出しきい値を超えているか否かを検出する検出器と
を備える、ＳＰＡ。
【請求項１２】
各選択された側波帯のバージョンを独立に量子化する１つ以上の中間量子化器と、
量子化手段の負荷ファクタを制御する回路と
をさらに備える、請求項１１に記載のＳＰＡ。
【請求項１３】
前記負荷ファクタを制御する回路は、ＡＧＣのような回路である、請求項１２に記載のＳＰＡ。
【請求項１４】
受信された信号を取得する信号処理アーキテクチャ（ＳＰＡ）であって、
該受信された信号をサンプリングして、第１のサンプリングされた信号を得る手段と、
該第１のサンプリングされた信号を第２のサンプリングされた信号の時間および周波数シフトされたバージョンと並列様式で相互相関させることにより、相互相関値を得る手段と、
該相互相関手段に接続されたドップラ補償器であって、該受信された信号の時間圧縮から生じるミスアラインメント効果を補償するために、該得られた相互相関値を処理するドップラ補償器と、
該第１のサンプリングされた信号の異なる時間セグメントの対応する時間および周波数のオフセットを表す補償された相互相関値と、第２のサンプリングされた信号とを非干渉的に統合することにより、相関量を得るインテグレータと、
相関量の大きさの合計が検出しきい値を超えているか否かを検出する検出器と
を備え、
該ＳＰＡは、単一のＡＳＩＣに実装され、オフチップメモリは、非干渉的な統合の結果を格納するために用いられる、ＳＰＡ。
【請求項１５】
前記相互相関手段は、
短時間相関（ＳＴＣ）の全体を並列で計算するコード整合フィルタのバンクと、
該ＳＴＣの離散時間フーリエ解析を用いて相互相関値を計算する手段と
をさらに備える、請求項１１に記載のＳＰＡ。
【請求項１６】
前記相互相関手段は、
前記コード整合フィルタのバンクと前記相互相関計算手段との間に配置された１つ以上の中間量子化器であって、フーリエ解析の前にＳＴＣのワードサイズを小さくする中間量子化器をさらに備える、請求項１５に記載のＳＰＡ。
【請求項１７】
前記相互相関手段は、
各選択された側波帯を名目上のチップレートの整数倍に等しいレートでリサンプリングする手段と、
必要数が整数倍によって割られる複数の乗数を有する１つ以上のコード整合フィルタであって、各コード整合フィルタの関連する加算ネットワークは、部分和を格納して、相互相関値の計算時に前のクロックサイクルからの部分和を加算するハードウェア手段を有する、１つ以上のコード整合フィルタと
をさらに備える、請求項１１に記載のＳＰＡ。
【請求項１８】
前記相互相関手段に接続されたドップラ補償器であって、前記受信されたＤＳＳＳ信号の時間圧縮から生じるミスアラインメント効果を補償するために、前記得られた相互相関値を処理するドップラ補償器をさらに備える、請求項１１に記載のＳＰＡ。
【請求項１９】
前記ドップラ補償器は、
粗いドップラ周波数依存の補償のための１つ以上の整数遅延線フィルタと、
精密なドップラ周波数依存の補償のための１つ以上の分数遅延線フィルタと、
ドップラ周波数依存の遅延を精密に分解する際に、該分数遅延線フィルタによって用いられるフィルタ係数のテーブルと、
適切な整数および分数遅延を各相互相関値に適用するための外部からの制御可能なセッティングと
をさらに備える、請求項１８に記載のＳＰＡ。
【請求項２０】
前記非干渉的なインテグレータは、
前記レプリカのコードシーケンスと前記受信された信号との間の相対タイミングを制御する手段と、
新たな時間不確定性の開始時に該レプリカのコードシーケンスをリアラインメントする手段と、
複数の相関ブロックを統合する手段と
をさらに備え、
コードシーケンスセグメントは、相互相関値のグループの間で時間に関して重複しており、ドップラ補償から生じる無効なサンプルと、タイルの終端で検出されるピークから生じるピーク検出後のアイドル時間と、コードのドップラ効果の結果として処理するために利用可能なサンプルの数の変化とを補償する、請求項１、８〜１０、１１または１４のいずれか一項に記載のＳＰＡ。
【請求項２１】
前記非干渉インテグレータは、
タイルの複数の処理ブロックの間でのシームレスな切り替えをサポートするように連続する近接したコードシーケンスのセグメントを含むコード整合フィルタのレジスタをロードおよび交換し、切り替え時間が不確定であるときに、局所的な基準コードに沿うシンボル境界への前記受信された信号のリアラインメントを制御する手段と、
ＮＣＩ処理中に、所定の時間オフセットに対し、新しいブロックの開始を制御する手段と、
コードのドップラ処理からの無効なデータと、該ＮＣＩ処理の終了時における有効なデータとを識別する信号を制御する手段と、
所定の時間不確定性に対し、該ＮＣＩ処理の終了時において用いられていない信号を廃棄することと、次の時間の不確定性に対し、ＮＣＩ処理の開始を調整することとを制御する手段と
をさらに備える、請求項２０に記載のＳＰＡ。
【請求項２２】
前記ＳＰＡは、単一のＡＳＩＣに実装される、請求項１、８〜１０または１１のいずれか一項に記載のＳＰＡ。
【請求項２３】
前記ＳＰＡは、単一のＦＰＧＡに実装される、請求項１、８〜１０、１１または１４のいずれか一項に記載のＳＰＡ。
【請求項２４】
オフチップメモリは、非干渉的な統合の結果を格納するためだけに用いられる、請求項２２に記載のＳＰＡ。
【請求項２５】
前記取得されるべきＤＳＳＳ信号は、２進オフセットキャリア変調信号である、請求項１、８〜１０、１１または１４のいずれか一項に記載のＳＰＡ。
【請求項２６】
前記取得されるべきＤＳＳＳ信号は、ＧＰＳ  Ｍコード信号である、請求項１、８〜１０、１１または１４のいずれか一項に記載のＳＰＡ。
【請求項２７】
サンプリングされた基準信号を所定のサンプリングレートでサンプリングされた受信された信号の時間および周波数シフトされたサンプルと相互相関させる相互相関装置であって、
該サンプリングされた受信された信号の同位相（Ｉ）成分および直交（Ｑ）成分をインターリーブするインターリーバと、
該インターリーブされた成分に対し、短時間相関（ＳＴＣ）をパイプライン様式で計算するコード整合フィルタのバンクであって、該コード整合フィルタは、該所定のサンプリングレートの２倍で動作し、該コード整合フィルタの各々は、該インターリーブされた成分を保持する２つのデータシフトレジスタをタップ毎に有する、コード整合フィルタのバンクと、
該ＳＴＣの離散時間フーリエ解析を用いて相互相関値を計算する手段と
を備える、相互相関装置。
【請求項２８】
サンプリングされた基準信号を複数の側波帯を有する受信された信号の時間および周波数シフトされたサンプルと相互相関させる相互相関装置であって、該複数の側波帯のうちの１つ以上は、所定のサンプリングレートでサンプリングされ、
該複数の側波帯のうちの１つ以上をデジタルに選択してリサンプリングする手段と、
該１つ以上のリサンプリングされた側波帯のデータ成分をインターリーブするインターリーバと、
該インターリーブされた側波帯のデータに対し、短時間相関（ＳＴＣ）をパイプライン様式で計算するコード整合フィルタのバンクであって、各コード整合フィルタは、該インターリーブされた側波帯のデータを保持する追加的なデータシフトレジスタを有し、選択された側波帯の数と該所定のサンプリングレートとの積に等しいレートで動作する、コード整合フィルタのバンクと、
ＳＴＣ出力の離散時間フーリエ解析を用いて相互相関値を計算する手段と
を備える、相互相関装置。
【請求項２９】
サンプリングされたＰＮコード基準信号を受信された信号の時間および周波数シフトされたサンプルと相互相関させる相互相関装置であって、
該受信された信号を名目上のチップレートの整数倍に等しいレートでリサンプリングする手段と、
該リサンプリングされた受信された信号とサンプリングされた基準信号との短時間相関（ＳＴＣ）を並列形式で計算するコード整合フィルタのバンクであって、各コード整合フィルタは、必要数が整数倍によって割られる複数の乗数を有する、コード整合フィルタのバンクと
を備え、
各コード整合フィルタの関連する加算ネットワークは、部分和を格納して、前のクロックサイクルからの部分和を加算して相互相関値を計算するハードウェアを有する、相互相関装置。
【請求項３０】
オフチップメモリは、非干渉的な統合の結果を格納するためだけに用いられる、請求項２３に記載のＳＰＡ。
【請求項３１】
受信されたＤＳＳＳ信号を取得する信号処理アーキテクチャ（ＳＰＡ）であって、
該受信されたＤＳＳＳ信号を所定のサンプリングレートでサンプリングする手段と、
相互相関値を得るために、該サンプリングされたＤＳＳＳ信号の時間および周波数シフトされたバージョンを該受信されたＤＳＳＳ信号のスペクトルを拡散するために用いられる擬似ランダム雑音（ＰＮ）コードシーケンスの局所的に生成されたレプリカのサンプルと並列様式で相互相関させる手段と、
該相互相関手段に接続されたドップラ補償器であって、該受信されたＤＳＳＳ信号の時間圧縮から生じるミスアラインメント効果を補償するために、該得られた相互相関値を処理するドップラ補償器と、
相関量を得るために、該受信された信号の異なる時間セグメントの対応する時間および周波数のオフセットを表す補償された相互相関値のグループと、レプリカのコードシーケンスとを非干渉的に統合するインテグレータと、
該相関量の大きさの合計が検出しきい値を超えているか否かを検出する検出器と
を備え、
該ドップラ補償器は、
該受信されたＤＳＳＳ信号の周波数シフトバージョンと該レプリカのコードシーケンスとに対応する相互相関値の入力ストリームに遅延を適用する遅延手段と、
非干渉統合カウンタ値に基づいて、適用されるべき適切な遅延を選択する手段と
をさらに備える、ＳＰＡ。
【請求項３２】
前記相互相関手段は、
短時間相関（ＳＴＣ）の全体を並列で計算するコード整合フィルタのバンクと、
該計算されたＳＴＣの離散時間フーリエ解析を用いて相互相関値を計算する手段と
をさらに備える、請求項３１に記載のＳＰＡ。
【請求項３３】
前記相互相関手段は、前記コード整合フィルタのバンクと該相互相関手段との間に配置された１つ以上の中間量子化器であって、フーリエ解析の前にＳＴＣのワードサイズを小さくする中間量子化器をさらに備える、請求項３２に記載のＳＰＡ。
【請求項３４】
前記コード整合フィルタは、前記サンプリングされたＤＳＳＳ信号のインターリーブされた同位相（Ｉ）成分および直交（Ｑ）成分に対し、ＳＴＣをパイプライン様式で計算し、該コード整合フィルタは、該サンプリングレートの２倍で動作し、
各コード整合フィルタは、該インターリーブされた成分を保持する２つのデータシフトレジスタをタップ毎に有する、請求項３２に記載のＳＰＡ。
【請求項３５】
前記ＤＳＳＳ信号は、複数の側波帯を有し、
前記ＳＰＡは、２つ以上の複数の側波帯をデジタルに選択してリサンプリングする手段をさらに備え、該相互相関手段は、該リサンプリングされた側波帯のデータをインターリーブするインターリーバをさらに備え、
前記コード整合フィルタは、該インターリーブされた側波帯のデータに対し、ＳＴＣをパイプライン様式で計算し、
各コード整合フィルタは、該インターリーブされた側波帯のデータを保持する追加的なデータシフトレジスタを有し、選択された側波帯の数と前記所定のサンプリングレートとの積に等しいレートで動作する、請求項３２に記載のＳＰＡ。
【請求項３６】
前記相互相関手段は、
前記受信されたＤＳＳＳ信号を名目上のチップレートの整数倍に等しいレートでリサンプリングする手段と、
必要数が整数倍によって割られる複数の乗数を有する１つ以上のコード整合フィルタと
をさらに備え、
各コード整合フィルタの関連する加算ネットワークは、部分和を格納して、相互相関値の計算時に前のクロックサイクルからの部分和を加算するハードウェアを含む、請求項３２に記載のＳＰＡ。
【請求項３７】
周波数シフトに依存する遅延を適用する手段は、
１つ以上の整数遅延線フィルタと、
１つ以上の分数遅延線フィルタと、
適用されるべき適切な遅延を決定する際に、整数遅延線フィルタおよび分数遅延線フィルタによって用いられる、あらかじめ計算されたフィルタ係数のルックアップテーブルと、
外部から指定された周波数シフトと前記非干渉統合カウンタ値との関数として、整数および分数遅延線フィルタの係数を初期化して更新する手段と
をさらに備える、請求項３１に記載のＳＰＡ。
【請求項３８】
受信されたＤＳＳＳ信号を取得する信号処理アーキテクチャ（ＳＰＡ）であって、
該受信されたＤＳＳＳ信号を所定のサンプリングレートでサンプリングする手段と、
相互相関値を得るために、該サンプリングされたＤＳＳＳ信号の時間および周波数シフトされたバージョンを該受信されたＤＳＳＳ信号のスペクトルを拡散するために用いられる擬似ランダム雑音（ＰＮ）コードシーケンスの局所的に生成されたレプリカのサンプルと並列様式で相互相関させる手段と、
該相互相関手段に接続されたドップラ補償器であって、該受信されたＤＳＳＳ信号の時間圧縮から生じるミスアラインメント効果を補償するために、該得られた相互相関値を処理するドップラ補償器と、
相関量を得るために、該受信された信号の異なる時間セグメントの対応する時間および周波数のオフセットを表す補償された相互相関値のグループと、レプリカのコードシーケンスとを非干渉的に統合するインテグレータと、
該相関量の大きさの合計が検出しきい値を超えているか否かを検出する検出器と
を備え、
該相互相関手段は、
短時間相関（ＳＴＣ）の全体を並列で計算するコード整合フィルタのバンクと、
該計算されたＳＴＣの離散時間フーリエ解析を用いて相互相関値を計算する手段と
をさらに備え、
該ドップラ補償器は、
該受信されたＤＳＳＳ信号の周波数シフトバージョンと該レプリカのコードシーケンスとに対応する相互相関値の入力ストリームに遅延を適用する遅延手段と、
非干渉統合カウンタ値に基づいて、適用されるべき適切な遅延を選択する手段と
をさらに備える、ＳＰＡ。
【請求項３９】
前記相互相関手段は、前記コード整合フィルタのバンクと該相互相関手段との間に配置された１つ以上の中間量子化器であって、フーリエ解析の前にＳＴＣのワードサイズを小さくする中間量子化器をさらに備える、請求項３８に記載のＳＰＡ。
【請求項４０】
前記コード整合フィルタは、前記サンプリングされたＤＳＳＳ信号のインターリーブされた同位相（Ｉ）成分および直交（Ｑ）成分に対し、ＳＴＣをパイプライン様式で計算し、該コード整合フィルタは、該サンプリングレートの２倍で動作し、
各コード整合フィルタは、該インターリーブされた成分を保持する２つのデータシフトレジスタをタップ毎に有する、請求項３８に記載のＳＰＡ。
【請求項４１】
前記ＤＳＳＳ信号は、複数の側波帯を有し、
前記ＳＰＡは、２つ以上の複数の側波帯をデジタルに選択してリサンプリングする手段をさらに備え、該相互相関手段は、該リサンプリングされた側波帯のデータをインターリーブするインターリーバをさらに備え、
前記コード整合フィルタは、該インターリーブされた側波帯のデータに対し、ＳＴＣをパイプライン様式で計算し、
各コード整合フィルタは、該インターリーブされた側波帯のデータを保持する追加的なデータシフトレジスタを有し、選択された側波帯の数と前記所定のサンプリングレートとの積に等しいレートで動作する、請求項３８に記載のＳＰＡ。
【請求項４２】
前記相互相関手段は、
前記受信されたＤＳＳＳ信号を名目上のチップレートの整数倍に等しいレートでリサンプリングする手段と、
必要数が整数倍によって割られる複数の乗数を有する１つ以上のコード整合フィルタと
をさらに備え、
各コード整合フィルタの関連する加算ネットワークは、部分和を格納して、相互相関値の計算時に前のクロックサイクルからの部分和を加算するハードウェアを含む、請求項３８に記載のＳＰＡ。
【請求項４３】
周波数シフトに依存する遅延を適用する手段は、
１つ以上の整数遅延線フィルタと、
１つ以上の分数遅延線フィルタと、
適用されるべき適切な遅延を決定する際に、整数遅延線フィルタおよび分数遅延線フィルタによって用いられる、あらかじめ計算されたフィルタ係数のルックアップテーブルと、
外部から指定された周波数シフトと前記非干渉統合カウンタ値との関数として、整数および分数遅延線フィルタの係数を初期化して更新する手段と
をさらに備える、請求項３８に記載のＳＰＡ。